(57)【要約】【課題】第１無線通信システムから希望信号を受信し、且つ、第１無線通信システムと周波数帯が隣接する第２無線通信システムから妨害信号を受信する場合であっても、帯域外減衰特性の急峻なフィルタを用いることなく、受信特性の劣化防止と消費電力の削減とを両立する。【解決手段】受信機１００は、希望信号と妨害信号とを含む受信信号を増幅する増幅回路１１０と、受信信号から妨害信号を抽出するフィルタ回路１２０と、抽出された妨害信号の妨害信号レベルを検出する検出回路１６０と、検出された妨害信号レベルを基準レベルＲｅｆと比較する比較回路１７０と、比較の結果に応じて、増幅回路１１０に供給される電力のレベルを設定する設定回路１８０とを備える。【選択図】図２
2010200039.tif 000002
【特許請求の範囲】
【請求項１】
第１無線通信システムの無線通信装置から希望信号を受信し、前記第１無線通信システムと周波数帯が隣接する第２無線通信システムの無線通信装置から妨害信号を受信する受信機であって、
前記希望信号と前記妨害信号とを含む受信信号を増幅する増幅回路と、
前記受信信号から前記妨害信号を抽出するフィルタ回路と、
前記フィルタ回路によって抽出された前記妨害信号の信号レベルである妨害信号レベルを検出する検出回路と、
前記検出回路によって検出された前記妨害信号レベルを所定レベルと比較する比較回路と、
前記比較回路による比較の結果に応じて、前記増幅回路に供給される電力のレベルである供給電力レベルを設定する設定回路と
を備え、
前記設定回路は、
前記検出回路によって検出された前記妨害信号レベルが前記所定レベルを上回る場合に、前記供給電力レベルを第１レベルに設定し、
前記検出回路によって検出された前記妨害信号レベルが前記所定レベルを下回る場合に、前記供給電力レベルを前記第１レベルよりも低い第２レベルに設定する受信機。
【請求項２】
前記フィルタ回路は、
前記第１無線通信システムの周波数帯を通過帯域とする第１バンドパスフィルタと、
前記第２無線通信システムの周波数帯を通過帯域とする第２バンドパスフィルタと
を備え、
前記第２バンドパスフィルタは、前記増幅回路によって増幅された前記受信信号から前記妨害信号を抽出する請求項１に記載の受信機。
【請求項３】
前記設定回路は、前記供給電力レベルを設定する設定処理を所定の時間間隔で実行する請求項１又は請求項２に記載の受信機。
【請求項４】
前記フィルタ回路と前記検出回路との間に接続され、前記フィルタ回路によって抽出された前記妨害信号を前記検出回路に入力するか否かを切り換える切り替え回路をさらに備え、
前記切り替え回路は、前記設定処理が実行される時間帯のみにおいて、前記フィルタ回路によって抽出された前記妨害信号を前記検出回路に入力する請求項３に記載の受信機。
【請求項５】
請求項１〜請求項４の何れかに記載の受信機を備える無線基地局。
【請求項６】
第１無線通信システムの無線通信装置から希望信号を受信し、前記第１無線通信システムと周波数帯が隣接する第２無線通信システムの無線通信装置から妨害信号を受信する受信方法であって、
前記希望信号と前記妨害信号とを含む受信信号を増幅回路が増幅するステップと、
前記受信信号から前記妨害信号をフィルタ回路が抽出するステップと、
前記フィルタ回路によって抽出された前記妨害信号の信号レベルである妨害信号レベルを検出回路が検出するステップと、
前記検出回路によって検出された前記妨害信号レベルと所定レベルとを比較回路が比較するステップと、
前記比較するステップによる比較の結果に応じて、前記増幅回路に供給される電力のレベルである供給電力レベルを設定回路が設定するステップと
を備え、
前記設定するステップでは、
前記検出回路によって検出された前記妨害信号レベルが前記所定レベルを上回る場合に、前記供給電力レベルを第１レベルに設定し、
前記検出回路によって検出された前記妨害信号レベルが前記所定レベルを下回る場合に、前記供給電力レベルを前記第１レベルよりも低い第２レベルに設定する受信方法。
【発明の詳細な説明】
【技術分野】
【０００１】
本発明は、無線信号を受信する受信機、無線基地局、及び受信方法に関する。
【背景技術】
【０００２】
無線端末や無線基地局などの無線通信装置は、無線通信相手から無線信号を受信する受信機を備える。このような受信機では、希望信号の信号レベルが低い場合に高いレベルの妨害信号を受信すると、受信機に設けられた増幅回路が飽和する。飽和による受信機の受信特性の劣化を回避するためには、増幅回路に供給される電力のレベル（以下、供給電力レベル）を高くして線形性を向上させる必要があるが、供給電力レベルを高くすると、受信機の消費電力が増大する。
【０００３】
受信特性の劣化防止と、消費電力の削減とを両立するために、次のような手法が提案されている（特許文献１参照）。
【０００４】
特許文献１に記載の受信機は、受信帯域内の全体的な信号レベルと、受信帯域内の希望信号の信号レベルとを検出し、検出結果に基づいて、受信帯域内の妨害信号の信号レベルが希望信号の信号レベルよりも所定レベル以上大きいか否かを判定する。そして、当該受信機は、妨害信号の信号レベルが希望信号の信号レベルよりも所定レベル以上大きいと判定した場合に供給電力レベルを高くし、それ以外の場合に供給電力レベルを低くする。
【先行技術文献】
【特許文献】
【０００５】
【特許文献１】特開平１１−２９８３４８
【発明の概要】
【発明が解決しようとする課題】
【０００６】
ところで、近年では、無線通信技術の発達に伴って、様々な無線通信システムが実用化されている。周波数資源は有限であることから、これらの無線通信システムにおいて、使用する周波数帯が隣接する無線通信システム間には、十分な周波数間隔が設けられていないことが多い。
【０００７】
このため、例えばＰＨＳ（Personal Handyphone System）の無線基地局に設けられた受信機は、ＰＨＳの無線端末からの希望信号を受信するだけでなく、ＰＨＳと周波数帯が隣接するＩＭＴ（International Mobile Telecommunication）２０００の無線基地局から妨害信号を受信することがある。ここで、ＰＨＳの無線基地局及びＩＭＴ２０００の無線基地局それぞれの位置が近い場合、受信機が高レベルの妨害信号を受信することになり、受信特性が劣化する不具合が生じる。
【０００８】
しかしながら、特許文献１に記載の受信機においては、ある無線通信システム（以下、第１無線通信システム）内における妨害信号を考慮しているものの、他の無線通信システム（以下、第２無線通信システム）からの妨害信号を考慮していないため、上記のような不具合に対応できない問題があった。
【０００９】
一方で、帯域外減衰特性の急峻なフィルタをアンテナの直後に設けることで、他の無線通信システムからの妨害信号を問題ないレベルまで減衰させることができるが、このようなフィルタはサイズが大きいため、許容されるフィルタのサイズが制限される場合には用いることができない問題があった。
【００１０】
そこで、本発明は、第１無線通信システムから希望信号を受信し、且つ、第１無線通信システムと周波数帯が隣接する第２無線通信システムから妨害信号を受信する場合であっても、帯域外減衰特性の急峻なフィルタを用いることなく、受信特性の劣化防止と消費電力の削減とを両立できる受信機、無線基地局、及び受信方法を提供することを目的とする。
【課題を解決するための手段】
【００１１】
上述した課題を解決するために、本発明は以下のような特徴を有している。まず、本発明の特徴に係る受信機（受信機１００）は、第１無線通信システム（無線通信システム１）の無線通信装置（無線端末１５）から希望信号を受信し、前記第１無線通信システムと周波数帯が隣接する第２無線通信システム（無線通信システム２）の無線通信装置（無線基地局２０）から妨害信号を受信する。当該受信機は、前記希望信号と前記妨害信号とを含む受信信号を増幅する増幅回路（増幅回路１１０）と、前記受信信号から前記妨害信号を抽出するフィルタ回路（フィルタ回路１２０）と、前記フィルタ回路によって抽出された前記妨害信号の信号レベルである妨害信号レベルを検出する検出回路（検出回路１６０）と、前記検出回路によって検出された前記妨害信号レベルを所定レベル（基準レベルＲｅｆ）と比較する比較回路（比較回路１７０）と、前記比較回路による比較の結果に応じて、前記増幅回路に供給される電力のレベルである供給電力レベルを設定する設定回路（設定回路１８０）とを備え、前記設定回路は、前記検出回路によって検出された前記妨害信号レベルが前記所定レベルを上回る場合に、前記供給電力レベルを第１レベル（例えば５．０Ｖ）に設定し、前記検出回路によって検出された前記妨害信号レベルが前記所定レベルを下回る場合に、前記供給電力レベルを前記第１レベルよりも低い第２レベル（例えば３．０Ｖ）に設定する。
【００１２】
このような受信機によれば、第１無線通信システムから希望信号を受信し、且つ、第１無線通信システムと周波数帯が隣接する第２無線通信システムから妨害信号を受信する場合であっても、帯域外減衰特性の急峻なフィルタを用いることなく、受信特性の劣化防止と消費電力の削減とを両立できる。
【００１３】
本発明の特徴に係る受信機において、前記フィルタ回路は、前記第１無線通信システムの周波数帯を通過帯域とする第１バンドパスフィルタ（バンドパスフィルタ１２１）と、前記第２無線通信システムの周波数帯を通過帯域とする第２バンドパスフィルタ（バンドパスフィルタ１２２）とを備え、前記第２バンドパスフィルタは、前記増幅回路によって増幅された前記受信信号から前記妨害信号を抽出する。
【００１４】
本発明の特徴に係る受信機において、前記設定回路は、前記供給電力レベルを設定する設定処理を所定の時間間隔で実行する。
【００１５】
本発明の特徴に係る受信機において、前記フィルタ回路と前記検出回路との間に接続され、前記フィルタ回路によって抽出された前記妨害信号を前記検出回路に入力するか否かを切り換える切り替え回路（切り替え回路１５０）をさらに備え、前記切り替え回路は、前記設定処理が実行される時間帯のみにおいて、前記フィルタ回路によって抽出された前記妨害信号を前記検出回路に入力する。
【００１６】
本発明の特徴に係る無線基地局は、本発明の特徴に係る受信機を備える。
【００１７】
本発明の特徴に係る受信方法は、第１無線通信システムの無線通信装置から希望信号を受信し、前記第１無線通信システムと周波数帯が隣接する第２無線通信システムの無線通信装置から妨害信号を受信する。当該受信方法は、前記希望信号と前記妨害信号とを含む受信信号を増幅回路が増幅するステップと、前記受信信号から前記妨害信号をフィルタ回路が抽出するステップと、前記フィルタ回路によって抽出された前記妨害信号の信号レベルである妨害信号レベルを検出回路が検出するステップと、前記検出回路によって検出された前記妨害信号レベルと所定レベルとを比較回路が比較するステップと、前記比較するステップによる比較の結果に応じて、前記増幅回路に供給される電力のレベルである供給電力レベルを設定回路が設定するステップとを備え、前記設定するステップでは、前記検出回路によって検出された前記妨害信号レベルが前記所定レベルを上回る場合に、前記供給電力レベルを第１レベルに設定し、前記検出回路によって検出された前記妨害信号レベルが前記所定レベルを下回る場合に、前記供給電力レベルを前記第１レベルよりも低い第２レベルに設定する。
【発明の効果】
【００１８】
本発明の特徴によれば、第１無線通信システムから希望信号を受信し、且つ、第１無線通信システムと周波数帯が隣接する第２無線通信システムから妨害信号を受信する場合であっても、帯域外減衰特性の急峻なフィルタを用いることなく、受信特性の劣化防止と消費電力の削減とを両立できる受信機、無線基地局、及び受信方法を提供できる。
【図面の簡単な説明】
【００１９】
【図１】本発明の実施形態に係る無線基地局を有する無線通信システム（第１無線通信システム）と、他の無線通信システム（第２無線通信システム）とを示す図である。
【図２】本発明の実施形態に係る無線基地局の構成を示す図である。
【図３】本発明の実施形態に係る受信機の動作を示すフローチャートである。
【発明を実施するための形態】
【００２０】
次に、図面を参照して、本発明の実施形態を説明する。具体的には、（１）全体概略構成、（２）無線基地局の構成、（３）受信機の動作、（４）効果、（５）その他の実施形態について説明する。
【００２１】
以下の実施形態における図面の記載において、同一又は類似の部分には同一又は類似の符号を付している。
【００２２】
（１）全体概略構成
図１は、本実施形態に係る無線基地局１０を有する無線通信システム１（第１無線通信システム）と、無線通信システム１と周波数帯が隣接する無線通信システム２（第２無線通信システム）とを示す図である。
【００２３】
無線基地局１０は、無線端末１５と無線通信を実行する。無線通信システム２は、無線基地局２０及び無線端末２５を有する。無線基地局２０は、無線端末２５と無線通信を実行する。本実施形態では、無線通信システム１がＰＨＳであり、無線通信システム２がＩＭＴ２０００である場合について説明する。
【００２４】
ＰＨＳは、多元接続方式としてＴＤＭＡ（Time Division Multiple Access）方式を使用し、複信方式としてＴＤＤ（Time Division Duplex）方式を使用する。ＴＤＤ方式を使用しているため、上り周波数帯及び下り周波数帯は同じ周波数帯である。
【００２５】
ＩＭＴ２０００は、多元接続方式としてＣＤＭＡ方式を使用しており、第３世代携帯電話システムの一つである。ＩＭＴ２０００は、複信方式としてＦＤＤ（Frequency Division Duplex）方式を使用しており、上り周波数帯と下り周波数帯とが異なる。
【００２６】
日本国内におけるＰＨＳの周波数帯は、ＩＭＴ２０００の下り周波数帯と隣接している。高い方の周波数帯が割り当てられているＰＨＳは、周波数帯の下限が１８８５ＭＨｚであり、ＩＭＴ２０００の下り周波数帯の上限は１８８０ＭＨｚである。なお、ＰＨＳの周波数帯とＩＭＴ２０００の下り周波数帯との間には、５ＭＨｚのガードバンドしか存在しない。
【００２７】
無線基地局１０は、無線端末１５から希望信号を受信し、無線基地局２０から妨害信号を受信する。無線基地局１０が受信する「希望信号」とは、無線基地局１０が本来受信するべき無線信号、具体的には、無線通信システム１の周波数帯域内の周波数を用いて送信される無線信号を意味する。無線基地局１０が受信する「妨害信号」とは、無線基地局１０における希望信号の受信を妨害する無線信号、具体的には、無線通信システム１の周波数帯域外の周波数を用いて送信される無線信号を意味する。
【００２８】
無線基地局１０は、ビルの屋上や、電柱などに設置されることが多く、無線基地局２０と比較して小型軽量であることが要求される。無線基地局２０は、無線基地局１０と比較して送信出力が大きい。
【００２９】
無線基地局１０及び無線基地局２０それぞれの位置が近い場合、無線基地局１０が高レベルの妨害信号を受信してしまい、無線基地局１０における受信特性が劣化する。本実施形態では、無線基地局１０の受信機１００（図２参照）は、妨害信号を監視し、無線基地局２０が無線基地局１０の周辺に存在する/しないに応じて適切な処理を行うように構成されている。
【００３０】
（２）無線基地局の構成
次に、無線基地局１０の構成について説明する。図２は、無線基地局１０の構成を示す図である。
【００３１】
図２に示すように、無線基地局１０は、アンテナＡＮＴ、受信機１００、送信機２００、バンドパスフィルタ３００、及びスイッチＳＷを有する。
【００３２】
受信機１００は上り通信期間において無線信号を受信し、送信機２００は下り通信期間において無線信号を送信する。バンドパスフィルタ３００は、アンテナＡＮＴとスイッチＳＷとの間に接続される。スイッチＳＷは、上り通信期間においてアンテナＡＮＴからの受信信号を受信機１００に入力し、下り通信期間において送信機２００からの送信信号をバンドパスフィルタ３００に入力する。
【００３３】
バンドパスフィルタ３００は、ＰＨＳの周波数帯を通過帯域としており、当該通過帯域外の信号を減衰させる。つまり、バンドパスフィルタ３００は、他の無線通信システムとの間の与干渉・被干渉を低減するためのものである。無線基地局１０は小型軽量であることが要求されるため、本実施形態では、バンドパスフィルタ３００は、比較的小型であり、且つ帯域外減衰特性も緩やかである。
【００３４】
受信機１００は、増幅回路１１０、フィルタ回路１２０、ミキサ１３０、ＩＦ帯処理回路１４０、切り替え回路１５０、検出回路１６０、比較回路１７０、設定回路１８０、スイッチＳＷ１、及びスイッチＳＷ２を有する。
【００３５】
増幅回路１１０は、アンテナＡＮＴが受信した信号を増幅するものであるが、無線端末１５から送信されてアンテナＡＮＴが受信した希望信号と、無線基地局２０から送信されてアンテナＡＮＴが受信した妨害信号とを含む受信信号を増幅することになる。
【００３６】
増幅回路１１０は、ローノイズアンプ１１１、バンドパスフィルタ１１２、ローノイズアンプ１１３、抵抗Ｒ１、及び抵抗Ｒ２を有する。本実施形態では、増幅回路１１０に複数のローノイズアンプ（ローノイズアンプ１１１、ローノイズアンプ１１３）を用いている。これは、フィルタ回路１２０において生じる通過損失の影響により、雑音指数（ＮＦ）が劣化してしまうことを防止するためである。バンドパスフィルタ１１２は、ローノイズアンプ１１１とローノイズアンプ１１３との間に接続される。ローノイズアンプ１１１は、抵抗Ｒ１を介してスイッチＳＷ１の出力側に接続される。ローノイズアンプ１１３は、抵抗Ｒ２を介してスイッチＳＷ２の出力側に接続される。
【００３７】
スイッチＳＷ１及びスイッチＳＷ２それぞれは、一方の入力側に５．０Ｖの電源電圧が入力され、他方の入力側に３．０Ｖの電源電圧が入力される。スイッチＳＷ１又はスイッチＳＷ２は、５．０Ｖ又は３．０Ｖの何れかの電源電圧をそれぞれ対応するローノイズアンプ１１１又はローノイズアンプ１１３に入力する。
【００３８】
フィルタ回路１２０は、増幅回路１１０によって増幅された受信信号から、希望信号と妨害信号とを個別に抽出する。
【００３９】
フィルタ回路１２０は、バンドパスフィルタ１２１及びバンドパスフィルタ１２２を有する。バンドパスフィルタ１２１及びバンドパスフィルタ１２２それぞれは、ローノイズアンプ１１３の出力側に接続される。
【００４０】
バンドパスフィルタ１２１は、ＰＨＳの周波数帯（１．９ＧＨｚ）を通過帯域としており、当該通過帯域外の受信信号を減衰させることで、受信信号から希望信号を抽出する。バンドパスフィルタ１２１によって抽出された希望信号は、ミキサ１３０に入力される。
【００４１】
ミキサ１３０は、図示を省略する局部発振器からの発振信号を用いて、バンドパスフィルタ１２１によって抽出された希望信号を無線周波数（ＲＦ）帯から中間周波数（ＩＦ）帯に変換する。ＩＦ帯処理回路１４０は、ＩＦ帯に変換された受信信号を信号処理し、ベースバンド（ＢＢ）帯に変換する。
【００４２】
一方、バンドパスフィルタ１２２は、ＩＭＴ２０００の下り周波数帯（１．７ＧＨｚ）を通過帯域としており、当該通過帯域外の受信信号を減衰させることで、受信信号から妨害信号を抽出する。バンドパスフィルタ１２１によって抽出された妨害信号は、切り替え回路１５０に入力される。
【００４３】
このように、受信機１００においては、ローノイズアンプ１１１及びローノイズアンプ１１３の通過後にバンドパスフィルタ１２１及びバンドパスフィルタ１２２を設け、主信号ライン(1.9GHz)とＩＭＴ２０００(1.7GHz)ラインとに分けている。
【００４４】
切り替え回路１５０は、バンドパスフィルタ１２２によって抽出された妨害信号を検出回路１６０に入力するか否かを切り換える。
【００４５】
切り替え回路１５０は、スイッチＳＷ３及び抵抗Ｒ３を有する。スイッチＳＷ３の入力側は、バンドパスフィルタ１２２の出力側に接続される。スイッチＳＷ３の一方の出力側は、抵抗Ｒ３を介してグラウンド側に接続され、他方の出力側は、検出回路１６０に接続される。
【００４６】
検出回路１６０は、フィルタ回路１２０によって抽出された妨害信号の信号レベル（以下、妨害信号レベル）を検出する。具体的には、検出回路１６０は、妨害信号の電力を妨害信号レベルとして検出する。
【００４７】
検出回路１６０は、ダイオードＤ１、抵抗Ｒ４、及び抵抗Ｒ５を有する。ダイオードＤ１は、アノード側がスイッチＳＷ３の他方の出力側に接続され、カソード側が抵抗Ｒ４の一端に接続される。ダイオードＤ１は、２．１ＧＨｚの電力を検波する。抵抗Ｒ４の他端は、比較回路１７０に接続される。抵抗Ｒ５は、一端がグラウンド側に接続され、他端が抵抗Ｒ４と比較回路１７０との間に接続される。
【００４８】
比較回路１７０は、検出回路１６０によって検出された妨害信号レベルを基準レベルＲｅｆ（所定レベル）と比較する。設定回路１８０は、比較回路１７０による比較の結果に応じて、増幅回路１１０に供給される電力のレベルである供給電力レベルを設定する。
【００４９】
設定回路１８０は、検出回路１６０によって検出された妨害信号レベルが基準レベルＲｅｆを上回る場合に、スイッチＳＷ１及びスイッチＳＷ２を用いて、供給電力レベルを第１レベル（本実施形態では一例として５．０Ｖ）に設定する。
【００５０】
設定回路１８０は、検出回路１６０によって検出された妨害信号レベルが基準レベルＲｅｆを下回る場合に、スイッチＳＷ１及びスイッチＳＷ２を用いて、供給電力レベルを第１レベルよりも低い第２レベル（本実施形態では一例として３．０Ｖ）に設定する。
【００５１】
例えば、設定回路１８０は、最初に増幅回路１１０を5Vで動作させ、近接にＩＭＴ２０００基地局が存在しない場合には、3Vでの電圧供給に切り替え、消費電力を下げる。
本実施形態では、設定回路１８０は、供給電力レベルを設定する設定処理を所定の時間間隔で、又は、操作者の操作に応じて実行する。例えば、設定回路１８０は、妨害信号の監視と供給電力レベルの設定処理とを行う定期監視動作と、妨害信号の監視と供給電力レベルの設定処理とを行わない通常動作とを交互に切り替えるように構成されている。切り替え回路１５０は、定期監視動作時において、妨害信号を検出回路１６０に入力する。
【００５２】
比較回路１７０は、コンパレータ１７１（Comp）、及び抵抗Ｒ６を有する。コンパレータ１７１は、正側の入力が抵抗Ｒ６に接続され、負側の入力が検出回路１６０に接続される。設定回路１８０は、ＣＰＵ１８１及びメモリ１８２を有する。ＣＰＵ１８１は、コンパレータ１７１からの出力に基づいて、スイッチＳＷ１、スイッチＳＷ２、及びスイッチＳＷ３それぞれの切り換えを制御する。メモリ１８２は、ＣＰＵ１８１における制御などに用いられる各種情報を記憶する。
【００５３】
（３）受信機の動作
次に、受信機１００の動作について説明する。具体的には、ＣＰＵ１８１によって実行される制御の内容について説明する。図３は、受信機１００の動作を示すフローチャートである。
【００５４】
ステップＳ１０１において、ＣＰＵ１８１は、スイッチＳＷ３を監視モードに切り替える。すなわち、ＣＰＵ１８１は、フィルタ回路１２０によって抽出された妨害信号を検出回路１６０に入力させるようにスイッチＳＷ３を切り替える。
【００５５】
ステップＳ１０２において、ＣＰＵ１８１は、コンパレータ１７１の出力を監視する。コンパレータ１７１は、妨害信号レベルが基準レベルＲｅｆを上回る場合には、所定の電圧を出力し、妨害信号レベルが基準レベルＲｅｆを上回らない場合には、当該電圧を出力しない。
【００５６】
ステップＳ１０３において、ＣＰＵ１８１は、コンパレータ１７１から電圧が出力されたか否かを判定する。コンパレータ１７１から電圧が出力された場合には、処理がステップＳ１０４に進み、コンパレータ１７１から電圧が出力されない場合には、処理がステップＳ１０５に進む。
【００５７】
ステップＳ１０４において、ＣＰＵ１８１は、５．０Ｖの電源電圧をローノイズアンプ１１１及びローノイズアンプ１１３に入力させるようにスイッチＳＷ１及びスイッチＳＷ２を切り替える。これにより、妨害信号レベルが高いときには、ローノイズアンプ１１１及びローノイズアンプ１１３への供給電力レベルを高くして、線形性を向上させることができ、受信特性の劣化を防止できる。
【００５８】
ステップＳ１０５において、ＣＰＵ１８１は、３．０Ｖの電源電圧をローノイズアンプ１１１及びローノイズアンプ１１３に入力させるようにスイッチＳＷ１及びスイッチＳＷ２を切り替える。これにより、妨害信号レベルが低いときには、ローノイズアンプ１１１及びローノイズアンプ１１３への供給電力レベルを低くして、無駄な消費電力を削減できる。
【００５９】
ステップＳ１０６において、ＣＰＵ１８１は、フィルタ回路１２０によって抽出された妨害信号を検出回路１６０に入力させないようにスイッチＳＷ３を切り替える。具体的には、スイッチＳＷ３を終端側（グラウンド側）に切り替える。
【００６０】
（４）効果
以上説明したように、本実施形態に係る受信機１００及び無線基地局１０によれば、無線端末１５から希望信号を受信し、無線基地局２０から妨害信号を受信する場合であっても、バンドパスフィルタ３００として帯域外減衰特性の急峻なフィルタを用いることなく、受信特性の劣化防止と、消費電力の削減とを両立できる。
【００６１】
本実施形態では、フィルタ回路１２０のバンドパスフィルタ１２２は、ＩＭＴ２０００の下り周波数帯を通過帯域としており、受信信号から妨害信号を確実に抽出できる。その結果、検出回路１６０は、妨害信号レベルを精度良く検出できる。
【００６２】
本実施形態では、設定回路１８０のＣＰＵ１８１は、妨害信号の監視と供給電力レベルの設定処理とを行う定期監視動作と、妨害信号の監視と供給電力レベルの設定処理とを行わない通常動作とを交互に切り替える。
【００６３】
これにより、常時監視を行う場合と比較して、処理負荷を軽減できる。また、供給電力レベルの設定処理（供給電力レベルの切り換え処理）を頻繁に行うと受信機１００の動作が不安定になるが、定期監視動作時にのみ供給電力レベルを切り換えることで、受信機１００の動作が不安定になることを防止できる。
【００６４】
本実施形態では、切り替え回路１５０は、定期監視動作時のみにおいて、フィルタ回路１２０によって抽出された妨害信号を検出回路１６０に入力する。検出回路１６０における妨害信号レベルの検出がアナログ処理であるため、定期監視動作時以外は妨害信号を検出回路１６０に入力しないようにすることで、不要な外乱等での誤動作を防止できる。
【００６５】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６６】
例えば、上述した実施形態では、無線通信システム１がＰＨＳである場合について説明したが、ＰＨＳに限らず、他の無線通信システムであってもよい。同様に、無線通信システム２がＩＭＴ２０００である場合について説明したが、無線通信システム１と周波数帯が隣接する無線通信システムであれば、他の無線通信システムであってもよい。
【００６７】
上述した実施形態では、受信機１００が無線基地局１０に設けられていたが、受信機１００を無線端末に設けてもよい。
【００６８】
上述した実施形態では、設定回路１８０が、ローノイズアンプ１１１及びローノイズアンプ１１３への供給電力レベルを設定していたが、ローノイズアンプ１１１及びローノイズアンプ１１３以外の能動素子についても供給電力レベルを設定して構わない。
【００６９】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００７０】
１，２…無線通信システム、１０，２０…無線基地局、１５，２５…無線端末、１００…受信機、１１０…増幅回路、１１１…ローノイズアンプ、１１２，１２１，１２２，３００…バンドパスフィルタ、１１３…ローノイズアンプ、１２０…フィルタ回路、１３０…ミキサ、１４０…ＩＦ帯処理回路、１５０…切り換え回路、１６０…検出回路、１７０…比較回路、１７１…コンパレータ、１８０…設定回路、１８１…ＣＰＵ、１８２…メモリ、２００…送信機、ＡＮＴ…アンテナ、Ｄ１…ダイオード、Ｒ１〜Ｒ６…抵抗、ＳＷ，ＳＷ１〜ＳＷ３…スイッチ
【図１】
2010200039.tif 000003
【図２】
2010200039.tif 000004
【図３】
2010200039.tif 000005